(57)【要約】【課題】斜め方向における輝度不足が低減された表示用照明装置及び表示装置を実現する。【解決手段】本発明の表示用照明装置１０では、シャーシ１２における蛍光管２０の配置領域に対し、第１の方向Ｘに主たる長手方向を有する蛍光管２０ａが対称的に配置されるとともに、前記第１の方向Ｘと交差する第２の方向Ｙに主たる長手方向を有する蛍光管２０ｂが対称的に配置されている。【選択図】図１
2008234944.tif 000002
【特許請求の範囲】
【請求項１】
表示パネルの背面側に設けられ、
シャーシと、前記シャーシに配置された光源とが備えられた表示用照明装置であって、
前記シャーシにおける光源の配置領域に対し、第１の方向に主たる長手方向を有する光源が対称的に配置されるとともに、
前記第１の方向と交差する第２の方向に主たる長手方向を有する光源が対称的に配置されていることを特徴とする表示用照明装置。
【請求項２】
表示パネルの背面側に設けられ、
シャーシと、前記シャーシに配置された光源とが備えられた表示用照明装置であって、
前記シャーシにおける光源の配置領域に対し、第１の方向に主たる長手方向を有する光源が対称的に配置されるとともに、
前記光源は、前記第１の方向と交差する第２の方向に延伸された部分を有し、
前記第２の方向に延伸された部分が、前記シャーシにおける光源の配置領域に対し、対称的に配置されていることを特徴とする表示用照明装置。
【請求項３】
前記第１の方向と前記第２の方向とのなす角が、７５°以上１０５°以下であることを特徴とする請求項１又は２に記載の表示用照明装置。
【請求項４】
前記第１の方向に主たる長手方向を有する光源、及び、前記第２の方向に主たる長手方向を有する光源が、何れも直線型の線状光源であることを特徴とする請求項１に記載の表示用照明装置。
【請求項５】
前記光源が、前記シャーシに複数配置されており、
前記複数の光源のうち、少なくとも１の光源が、Ｌ字型であることを特徴とする請求項２に記載の表示用照明装置。
【請求項６】
前記光源が、前記シャーシに複数配置されており、
前記複数の光源のうち、少なくとも１の光源が、コの字型であることを特徴とする請求項２に記載の表示用照明装置。
【請求項７】
前記コの字型の光源は、コの字の両先端部が、前記シャーシの辺に面するように配置されていることを特徴とする請求項６に記載の表示用照明装置。
【請求項８】
前記シャーシが長方形型であり、
前記第１の方向は、長方形型のシャーシの１の辺に平行な方向であり、
他方、前記第２の方向は、前記シャーシの前記１の辺に直交する辺に平行な方向であることを特徴とする請求項１または２に記載の表示用照明装置。
【請求項９】
前記シャーシが長方形型であり、
前記長方形型のシャーシは、互いに長さが異なる２組の辺を有しており、
前記第１の方向が、前記長方形の長辺と平行な方向であり、
前記第２の方向が、前記長方形の短辺と平行な方向であり、
前記第２の方向に主たる長手方向を有する前記直線型の線状光源のうち、少なくとも１の線状光源は前記長方形型のシャーシの１の短辺に沿って配置されており、他の少なくとも１の線状光源は前記長方形型のシャーシの他の短辺に沿って配置されていることを特徴とする請求項４に記載の表示用照明装置。
【請求項１０】
前記表示パネルが液晶表示パネルであることを特徴とする請求項１から９の何れか１項に記載の表示用照明装置。
【請求項１１】
前記光源が放電管であることを特徴とする請求項１から１０の何れか１項に記載の表示用照明装置。
【請求項１２】
前記放電管は、冷陰極管、熱陰極管、及び、キセノン管の内の少なくとも一であることを特徴とする請求項１１に記載の表示用照明装置。
【請求項１３】
請求項１から１２の何れか１項に記載の表示用照明装置と、表示パネルとが備えられた表示装置。
【発明の詳細な説明】
【技術分野】
【０００１】
本発明は、表示用照明装置、及び、表示装置に関する。
【背景技術】
【０００２】
従来から、冷陰極管や熱陰極管などの蛍光管が光源として用いられた表示用照明装置が、液晶表示パネルなど自発光性を有しない表示パネルが備えられた表示装置に、広く用いられている。
【０００３】
この表示用照明装置は、一般に、シャーシと、シャーシに形成された光源受け部と、光源受け部に嵌め込まれることによってシャーシに固定された複数本の光源とを備える。
【０００４】
（特許文献１）
このような構成を有する表示用照明装置としては種々の構成が提案されている。例えば、特許文献１には、図９に示すように、棒状光源１０１が、その延伸方向が長方形型のケース（シャーシ）１０３における長手方向（図９に矢印で示す第１方向）と平行となるように、ケース１０３に配置されてなる照明装置（表示用照明装置）１１０が記載されている。
【０００５】
詳しくは、前記棒状光源１０１は、第１方向について２列、図９に矢印で示す第２方向について５行の、合計１０個、照明装置１１０に設けられている。
【０００６】
すなわち、特許文献１に記載の照明装置１１０では、複数本の棒状光源１０１が、長方形型の照明装置１１０において、横方向（長方形の長辺方向）に複数本配置されている。
【０００７】
（特許文献２）
また、特許文献２には、図１０に示すように、Ｕ字型の蛍光管（光源）２１５が、長方形型のバックライトモジュール（表示用照明装置）２０１において、Ｕ字の長手方向がバックライトモジュール２０１の短手方向と平行になるように、前記バックライトモジュール２０１に設けられている。
【０００８】
すなわち、特許文献２に記載のバックライトモジュール２０１では、複数本のＵ字型の蛍光管２１５が、長方形型のバックライトモジュール２０１において、縦方向（長方形の短手方向）に複数本配置されている。
【０００９】
なお、図９及び図１０は、何れも従来技術を示すものであり、図９は特許文献１に記載された照明装置１１０の概略構成を示す図であり、図１０は特許文献２に記載されたバックライトモジュール２０１の概略構成を示す図である。
【特許文献１】特開２００５−１９０９９１号公報（２００５年７月１４日公開）
【特許文献２】登録実用新案第３１１０００４号公報（２００５年４月１３日登録）
【発明の開示】
【発明が解決しようとする課題】
【００１０】
（斜め方向の暗さ）
しかしながら、前記特許文献１及び特許文献２に記載された従来の構成では、表示用照明装置の正面方向は明るいが、斜め方向が暗いという問題点がある。以下、説明を簡単にするため、横長の長方形型表示用照明装置において、その横方向に直管型蛍光管が配置された表示用照明装置を例にして説明する。
【００１１】
図１１は、従来の表示用照明装置１０の概略構成を示す図である。図１１に示すように、表示用照明装置１０に備えられたシャーシ１２には、直管型の蛍光管２０が長方形型表示用照明装置１０の長辺方向に平行になるように、複数本設けられている。
【００１２】
そして、この表示用照明装置１０は、表示用照明装置１０の正面方向（図１１に示す矢印Ｐが示す方向）、及び、表示用照明装置１０の斜め方向のうち、前記直管型の蛍光管２０に垂直な方向（図１１に示す矢印Ｌが示す方向及び矢印Ｍが示す方向）では輝度が高い。
【００１３】
これに対して、表示用照明装置１０の斜め方向のうち、前記直管型の蛍光管２０に平行な方向（図１１に示す矢印Ｎが示す方向及び矢印Ｏが示す方向：横斜め方向）では輝度が低い。
【００１４】
（配光特性）
このような方向による輝度の差は、蛍光管２０の配光特性に起因する。以下、蛍光管２０の配光特性を図１２及び図１３に基づいて説明する。
【００１５】
図１２は、蛍光管２０を管端から直管の延伸方向に向かって見た場合の、蛍光管２０から出射される光の強度を示す図である。一方、図１３は、蛍光管２０を側面から見た場合の、蛍光管２０から出射される光の強度を示す図である。
【００１６】
蛍光管２０の長手方向に対する垂直面においては、図１２に示すように、蛍光管２０の全円周から、その円周に対する法線方向に向かって、均一に光が出射されている（矢印Ｔ）。
【００１７】
一方、蛍光管２０の長手方向を含む面においては、図１３に示すように、蛍光管２０の長手方向に対して垂直な方向に対して出射される光が最も強く（矢印Ｑ）、出射される方向が前記垂直な方向から傾斜するにしたがって（矢印Ｒ〜矢印Ｓ）、光の強度が弱くなっていく。
【００１８】
以上の配光特性によって、図１１に示す表示用照明装置１０において、蛍光管２０の長手方向に対して垂直な方向である矢印Ｌ、矢印Ｍ、及び、矢印Ｐの方向については明るくなるが、蛍光管２０の長手方向に対して垂直な方向から傾斜した方向である矢印Ｎ、及び、矢印Ｏの方向については暗くなる。
【００１９】
表示用照明装置１０の断面を用いて説明すると以下の通りである。図１４は、図１１のＢ−Ｂ線断面図である。図１４に示すように、表示用照明装置１０の正面方向（図１４の矢印Ｐの方向）は、蛍光管２０の配光特性上光の強度が強い方向なので、明るくなる。
【００２０】
他方、表示用照明装置１０の横斜め方向（図１４の矢印Ｎ、及び、矢印Ｏの方向）は、蛍光管２０の配光特性上光の強度が弱い方向なので、暗くなる。
【００２１】
（表示装置の見え方）
つぎに、前記表示用照明装置を、表示パネルとして液晶表示パネルが備えられた液晶表示装置において、直下型の背面照明手段として用いた場合の前記液晶表示装置の明るさを、図１５（ａ）、図１５（ｂ）、及び、図１５（ｃ）に基づいて説明する。図１５（ａ）は液晶表示パネル５が備えられた液晶表示装置１を正面方向から見たときの画面７の明るさを示す図であり、図１５（ｂ）は液晶表示装置１を左横斜め方向から見たときの画面７の明るさを示す図であり、図１５（ｃ）は液晶表示装置１を右横斜め方向から見たときの画面７の明るさを示す図である。
【００２２】
図１５（ａ）、図１５（ｂ）、及び、図１５（ｃ）に示すように、液晶表示装置１の画面７の明るさは、前記表示用照明装置１０の配光特性にしたがう。すなわち、図１５（ａ）に示すように、液晶表示装置１を正面方向から見たとき、画面７は明るく見えるが、これに対して、液晶表示装置１を左横斜め方向又は右横斜め方向から見たときは、図１５（ｂ）及び図（ｃ）示すように、画面７は、前記正面方向から見たときに比べて暗く見える。
【００２３】
つぎに、前記画面７の明るさについて、図１６（ａ）及び図１６（ｂ）に基づいて、定量的に説明する。
【００２４】
図１６（ａ）は、画面７について、仰角を変えた場合の輝度の変化を示す図であり、横軸は仰角（度）を示し、縦軸は相対輝度を示す。また、図１６（ｂ）は、前記図１６（ａ）に示す相対輝度の測定方法を示す図である。
【００２５】
ここで、相対輝度とは、各々の仰角における輝度を、正面方向の輝度を１として規格化した値を意味する。そして、図１６（ａ）に示す相対輝度は、画面７に対して垂直な方向（図１６（ｂ）に示す矢印Ｚの方向。正面方向。）から、方位角０°の方向（図１６（ｂ）に示す矢印−Ｘ及び＋Ｘの方向。水平方向。）に対して傾斜させながら輝度を測定した場合の相対輝度である。
【００２６】
図１６（ａ）に示すように、仰角（図１６（ｂ）に示す点線矢印における角度）の絶対値が大きくなると相対輝度が低下すること、すなわち、横斜め方向では、正面方向よりも暗くなることが、定性的に分かる。
【００２７】
そして、このような液晶表示装置１における横斜め方向での明るさの低下は、表示装置における表示品位の低下をまねく。
【００２８】
そこで、本発明は、前記の問題点に鑑みてなされたものであり、その目的は、斜め方向における輝度不足が低減された表示用照明装置、及び、表示装置を実現することにある。
【課題を解決するための手段】
【００２９】
本発明の表示用照明装置は、前記課題を解決するために、表示パネルの背面側に設けられ、シャーシと、前記シャーシに配置された光源とが備えられた表示用照明装置であって、前記シャーシにおける光源の配置領域に対し、第１の方向に主たる長手方向を有する光源が対称的に配置されるとともに、前記第１の方向と交差する第２の方向に主たる長手方向を有する光源が対称的に配置されていることを特徴とする。
【００３０】
また、本発明の表示用照明装置は、前記課題を解決するために、表示パネルの背面側に設けられ、シャーシと、前記シャーシに配置された光源とが備えられた表示用照明装置であって、前記シャーシにおける光源の配置領域に対し、第１の方向に主たる長手方向を有する光源が対称的に配置されるとともに、前記光源は、前記第１の方向と交差する第２の方向に延伸された部分（第２の方向に長手方向を有する光源の部分）を有し、前記第２の方向に延伸された部分が、前記シャーシにおける光源の配置領域に対し、対称的に配置されていることを特徴とする。
【００３１】
前記の構成では、第１の方向に主たる長手方向を有する光源と、前記第１の方向と交差する第２の方向に主たる長手方向を有する光源又は光源の部分とを、各々対称的に配置したことを特徴とする。すなわち、光源の長手方向が少なくとも２つの異なる方向を有するように配置されている。
【００３２】
そして、先に説明した通り、例えば蛍光管などの長手方向を有する光源は、その光源の長手方向に対する垂直面においては、全方向に対して均一に光を出射するという配光特性を有している。
【００３３】
したがって、前記の構成によれば、複数の斜め方向に対して、正面方向と同程度の強さの光が出射される。さらに各光源は、各々の方向について対称的に配置されているので、互いに対向する斜め方向に対して、ほぼ同じ光が出射される。
【００３４】
その結果、前記構成の表示用照明装置は、斜め方向における輝度不足が低減された表示用照明装置を実現することができるという効果を奏する。
【００３５】
また、本発明の表示用照明装置は、前記第１の方向と前記第２の方向とのなす角が、７５°以上１０５°以下であることが好ましい。
【００３６】
前記の構成では、前記第１の方向と前記第２の方向とのなす角が、７５°以上１０５°以下、すなわち、直角に近い角度となっている。
【００３７】
したがって、全方向に対して均一に光を出射する光源の長手方向に対する垂直面（均一出射面）が、直角に近い角度だけずれて存在することになる。よって、より広い範囲にわたって、斜め方向における輝度不足が低減された表示用照明装置を実現することができる。
【００３８】
具体的には、例えば、長方形型の表示用照明装置においては、上下方向のみならず左右方向に対しても、前記光源の長手方向に対する垂直面を形成することが可能となる。
【００３９】
その結果、上下の斜め方向のみならず、左右の斜め方向に対しても、前記光源から十分な光が出射されるので、より斜め方向における輝度不足が低減された表示用照明装置を実現することができる。
【００４０】
また、本発明の表示用照明装置は、前記第１の方向に主たる長手方向を有する光源、及び、前記第２の方向に主たる長手方向を有する光源が、何れも直線型の線状光源であることが好ましい。
【００４１】
前記の構成によれば、直線型の線状光源を異なる方向に配置することによって、前記均一出射面を容易に２方向以上設けることができる。
【００４２】
すなわち、従来の直線型の線状光源、例えば直管型の蛍光管を用いて前記第１の方向、及び、第２の方向を有する表示用照明装置を構成することができるので、表示用照明装置の製造コストの増加を抑制することができる。
【００４３】
また、本発明の表示用照明装置は、前記光源が、前記シャーシに複数配置されており、前記複数の光源のうち、少なくとも１の光源が、Ｌ字型であることが好ましい。
【００４４】
また、本発明の表示用照明装置は、前記光源が、前記シャーシに複数配置されており、前記複数の光源のうち、少なくとも１の光源が、コの字型であることが好ましい。
【００４５】
前記の構成によれば、１つの光源で、前記均一出射面を２方向以上設けることができるので、簡易な構成で、斜め方向における輝度不足が低減された表示用照明装置を実現することができる。
【００４６】
ここで、前記Ｌ字型の光源においては、Ｌ字の２つの直線部分が、各々前記第１の方向及び第２の方向となる。また、前記コの字型の光源においては、対向する一組の平行な辺が、例えば前記第１の方向となり、残る他の一辺が、前記第２の方向となる。
【００４７】
また、前記第１の方向と前記第２の方向とが、ほぼ９０°であるので、より広い範囲にわたって、斜め方向における輝度不足が低減された表示用照明装置を実現することができる。
【００４８】
また、本発明の表示用照明装置は、前記コの字型の光源は、コの字の両先端部が、前記シャーシの辺に面するように配置されていることが好ましい。
【００４９】
前記の構成によれば、用いられる光源の先端部分が、シャーシの辺に面するように配置されている。したがって、シャーシの端辺近傍に設けられていた従来の光源受け部を用いて、光源をシャーシに固定することができる。よって、表示用照明装置の製造コストの増加を抑制することができる。
【００５０】
また、本発明の表示用照明装置は、前記シャーシが長方形型であり、前記第１の方向は、長方形型のシャーシの１の辺に平行な方向であり、他方、前記第２の方向は、前記シャーシの前記１の辺に直交する辺に平行な方向であることが好ましい。
【００５１】
前記の構成では、光源が、長方形型のシャーシの縦辺及び横辺の何れの辺に対しても、その各々の辺に対して平行な部分を有している。そして、先に説明した通り、光源は、その光源の長手方向に対する垂直面においては、全方向に対して均一に光を出射するという配光特性を有している。
【００５２】
以上より、前記の構成によれば、長方形型の表示用照明装置において、上下方向のみならず左右方向に対しても、前記光源の長手方向に対する垂直面が形成される。
【００５３】
その結果、上下の斜め方向のみならず、左右の斜め方向に対しても、前記光源から十分な光が出射される。
【００５４】
よって、前記構成の表示用照明装置は、斜め方向における輝度不足がより低減された表示用照明装置を実現することができる。
【００５５】
また、本発明の表示用照明装置は、前記シャーシが長方形型であり、前記長方形型のシャーシは、互いに長さが異なる２組の辺を有しており、前記第１の方向が、前記長方形の長辺と平行な方向であり、前記第２の方向が、前記長方形の短辺と平行な方向であり、前記第２の方向に主たる長手方向を有する前記直線型の線状光源のうち、少なくとも１の線状光源は前記長方形型のシャーシの１の短辺に沿って配置されており、他の少なくとも１の線状光源は前記長方形型のシャーシの他の短辺に沿って配置されていることが好ましい。
【００５６】
前記の構成によれば、直線型の線状光源が、表示用照明装置の２つの短辺の各々に沿って配置されている。したがって、前記線状光源を消灯することによって、容易に表示用照明装置の横幅方向における点灯範囲を変更することができる。
【００５７】
その結果、表示パネルに表示される画像の横縦比が変化する場合、例えば縦横比が１６：９と４：３とに変化する場合などに、点灯範囲を前記縦横比に合わせ易い。
【００５８】
よって、不必要な点灯を抑制できるので、表示用照明装置の消費電力を低減することができる。
【００５９】
また、本発明の表示用照明装置は、前記表示パネルが液晶表示パネルであることが好ましい。
【００６０】
前記の構成によれば、液晶表示パネルが自発光性を有しないので、前記表示用照明装置によって、斜め方向における輝度不足を効果的に低減することができる。
【００６１】
また、本発明の表示用照明装置は、前記光源が放電管であることが好ましい。
【００６２】
また、本発明の表示用照明装置は、前記放電管は、冷陰極管、熱陰極管、及び、キセノン管の内の少なくとも一であることが好ましい。
【００６３】
前記の構成によれば、光源が、放電管、好ましくは冷陰極管、熱陰極管、及び、キセノン管の内の少なくとも一であるので、光源の長手方向に対する垂直面（均一出射面）に出射される光の均一性が高い。したがって、斜め方向における輝度不足をより効果的に低減することができる。
【００６４】
また、本発明の表示装置は、前記表示用照明装置と、表示パネルとが備えられていることが好ましい。
【００６５】
前記の構成によれば、斜め方向に対しての輝度不足が低減された表示用照明装置が用いられているので、斜め方向における輝度不足が低減され、その結果、斜め方向に対しても良好な表示品位を有する表示装置を実現することができる。
【発明の効果】
【００６６】
本発明の表示用照明装置及び表示装置は、以上のように、シャーシにおける光源の配置領域に対し、第１の方向に主たる長手方向を有する光源が対称的に配置されるとともに、前記第１の方向と交差する第２の方向に主たる長手方向を有する光源が対称的に配置されている。
【００６７】
また、本発明の表示用照明装置及び表示装置は、以上のように、シャーシにおける光源の配置領域に対し、第１の方向に主たる長手方向を有する光源が対称的に配置されるとともに、前記光源は、前記第１の方向と交差する第２の方向に延伸された部分を有し、前記第２の方向に延伸された部分が、前記シャーシにおける光源の配置領域に対し、対称的に配置されている。
【００６８】
したがって、斜め方向における輝度不足が低減された表示用照明装置、及び、表示装置を実現するという効果を奏する。
【発明を実施するための最良の形態】
【００６９】
〔実施の形態１〕
本発明の一実施の形態について図１から図３に基づいて説明すると以下の通りである。図１は、本実施の形態の表示用照明装置１０の概略構成を示す図である。
【００７０】
本実施の形態の表示用照明装置１０は、およそ長方形型のシャーシ１２と、前記シャーシ１２に固定された光源としての蛍光管２０とを備えている。そして、前記蛍光管２０は、シャーシ１２に設けられた光源受け部１６に設置されることによって、すなわち前記光源受け部１６を介して、シャーシ１２に固定されている。
【００７１】
なお、前記蛍光管２０の種類は特には限定されず、例えば冷陰極管（ＣＣＦＬ：Ｃｏｌｄ  Ｃａｔｈｏｄｅ  Ｆｌｕｏｒｅｓｃｅｎｔ  Ｌａｍｐ）や熱陰極管（ＨＣＦＬ：Ｈｏｔ  Ｃａｔｈｏｄｅ  Ｆｌｕｏｒｅｓｃｅｎｔ  Ｌａｍｐ）などを用いることができる。ここで、好適には、一般に管の径が小さいため、表示用照明装置１０の薄型化が可能であるという観点から冷陰極管が用いられる。
【００７２】
また、前記光源としては、上記例示以外に、他の放電管、具体的には例えばキセノン管を用いることもできる。
【００７３】
（蛍光管の配置）
そして、本実施の形態の表示用照明装置１０では、前記蛍光管２０が複数本設けられており、かつ、その蛍光管２０の直線部分が、表示用照明装置１０において複数の方向を有するように設けられている。
【００７４】
具体的には、前記実施の形態の表示用照明装置１０には、直線型の線状光源である、直管型の蛍光管２０が、横長長方形型の表示用照明装置１０の長辺方向（図１の矢印Ｘの方向、第１の方向）に平行な方向と、表示用照明装置１０の短辺方向（図１の矢印Ｙの方向、第２の方向）とに、各々複数本も受けられている。ここで、前記第１の方向と、第２の方向とのなす角は、９０°となっている。
【００７５】
より詳しくは、前記Ｘ方向と平行な方向に、長手直管型蛍光管２０ａがほぼ等間隔に４本設けられているとともに、前記Ｙ方向と平行な方向に、短手直管型蛍光管２０ｂが、前記長手直管型蛍光管２０ａの両管端近傍に各々１本、合計２本設けられている。すなわち、シャーシ１２を平面視した際のおよそ全域である蛍光管の配置領域に対し、前記第１の方向及び第２の方向において、蛍光管が対称的に配置されている。
【００７６】
（輝度）
前記の構成によれば、表示用照明装置１０の正面方向（図１に示す矢印Ｐが示す方向）、及び、表示用照明装置１０の４つの斜め方向（図９に示す矢印Ｌ、矢印Ｍ、矢印Ｎ、及び、矢印Ｏが示す方向）の全ての方向について、高い輝度を実現することができる。
【００７７】
すなわち、表示用照明装置１０の斜め方向うち、図１１に示す従来の表示用照明装置１０では、高い輝度を実現することが困難であった横斜め方向（図１１及び図１に示す矢印Ｎ、及び、矢印Ｏが示す方向）に対しても、高い輝度を実現することができる。以下、説明する。
【００７８】
本実施の形態の表示用照明装置１０では、前記Ｘ方向のみならず、前記Ｙ方向に平行な方向についても、蛍光管（短手直管型蛍光管２０ｂ）が設けられている。
【００７９】
したがって、輝度が低かった前記横斜め方向（矢印Ｎ、及び、矢印Ｏが示す方向）が、前記Ｙ方向に平行な短手直管型蛍光管２０ｂの長手方向に対する垂直面に含まれる。そして、先に図１２に基づいて説明した通り、蛍光管における長手方向と垂直な面においては、その全方向に均一に光が出射される。
【００８０】
その結果、従来の表示用照明装置１０では高い輝度を実現することができなかった表示用照明装置１０の横斜め方向（図１１及び図１に示す矢印Ｎ、及び、矢印Ｏが示す方向）においても、高い輝度を実現することができる。
【００８１】
（消費電力）
また、本実施の形態の表示用照明装置１０では、蛍光管２０が、横方向（図１に示す矢印Ｘの方向）と、縦方向（図１に示す矢印Ｙの方向）とに設けられている（配ブリット配置）。そして、縦方向の蛍光管２０は、横長長方形型のシャーシ１２の両縦辺近傍に設けられている。
【００８２】
したがって、例えば、前記シャーシ１２の長方形の長辺（横辺）と短辺（縦辺）との長さの比が、例えばいわゆるワイド画面表示に対応した１６：９である場合において、表示用照明装置１０が背面を照射する表示パネルに表示される画像が、いわゆる４：３の通常画面であるとき、前記表示用照明装置１０の両短辺（両縦辺）近傍領域から光を出射させることは、必ずしも必要でない。
【００８３】
この点、前記図１１に示した表示用照明装置１０では、蛍光管２０が、横方向（長辺方向）に設けられているのみであるので、前記両短辺近傍領域のみについて、光の出射を止めることはできなかった。
【００８４】
これに対して本実施の形態の表示用照明装置１０では、前記両短辺近傍領域に縦方向（短手方向）の蛍光管２０（短手直管型蛍光管２０ｂ）が設けられているので、その縦方向の蛍光管２０のみを選択的に消すことができる。
【００８５】
したがって、４：３の通常画面を表示する際、不必要な領域に対して照射することを止めることができるので、消費電力を低減することができる。
【００８６】
（寿命）
前記蛍光管２０として特に冷陰極管が用いられた場合には、本実施の形態の表示用照明装置１０では、用いられた蛍光管２０の寿命を長くすることができる。
【００８７】
すなわち、冷陰極管においては、一般的に管端部の温度が管央の温度よりも低くなりやすいため、気化した水銀が管端部に溜まりやすい。そして、管端部に溜まった水銀が再び発光に資することは少ないため、管端部の温度が低いことに起因して蛍光管２０の寿命が短くなる場合がある。
【００８８】
この点、本実施の形態の表示用照明装置１０では、図１に示すように、長手直管型蛍光管２０ａの両端部（両管端部）の近傍に短手直管型蛍光管２０ｂが設けられている。したがって、長手直管型蛍光管２０ａの両端部が、短手直管型蛍光管２０ｂの発熱によって暖められる。よって、長手直管型蛍光管２０ａの両端部に水銀が溜まりにくくなり、その結果、長手直管型蛍光管２０ａの寿命を長くすることができる。
【００８９】
また、例えば前記光源受け部１６の材料や形状などを変更して、光源受け部１６の伝熱特性を最適化することによって、蛍光管２０の寿命をより長くすることができる。
【００９０】
具体的には、例えば、長手直管型蛍光管２０ａの光源受け部１６を、連接する短手直管型蛍光管２０ｂからの熱を伝えやすいように構成したり、シャーシ１２の熱が管端部に伝わりやすいように構成することなどが挙げられる。
【００９１】
（従来の固定方法）
つぎに、本実施の形態における蛍光管２０の、シャーシ１２への固定方法について説明する。
【００９２】
まず、最初に従来の固定方法について、図１７（ａ）及び図１７（ｂ）に基づいて説明する。図１７（ａ）は、従来技術を示すものであり、表示用照明装置の概略構成を示す図である。また、図１７（ｂ）は、図１７（ａ）に示す表示用照明装置における光源受け部１６を示す図である。
【００９３】
図１７（ａ）に示すように、前記表示用照明装置１０においては、蛍光管２０の両管端部が光源受け部１６に支持されることによって、各蛍光管２０は、シャーシ１２へ固定されている。
【００９４】
詳しくは、長方形型のシャーシ１２における、対向する一組の辺の近傍には、ほぼその全長にわたって蛍光管２０を支持するための光源受け部１６が設けられている。そして、この光源受け部１６には、蛍光管２０の管端部をはめ込むことができるような開口部１７が設けられている。さらに、前記それぞれの開口部１７に対応した前記光源受け部１６の内部には、はめ込まれた蛍光管２０の管端部を支えるゴムホルダ１８が設けられている。
【００９５】
なお、シャーシ１２の裏面には、前記蛍光管２０を点灯させるためにインバーター４０が設けられており、蛍光管２０とインバーター４０とは、ハーネス３０を介して電気的に接続されている。
【００９６】
ここで、本実施の形態の表示用照明装置１０においては、蛍光管２０のシャーシ１２への固定方法は特には限定されるものではなく、前記従来の固定方法を用いることもできる。
【００９７】
（個別の固定方法）
ただし、表示用照明装置１０の面内における輝度の均一性をより高めるなどの観点から、例えば、図１及び図２に示すように、前記従来のシャーシ１２の辺のほぼ全長にわたって設けられた光源受け部１６にかわって、各々の蛍光管２０について、その管端部を個別に支持することができるように形成された光源受け部１６を用いることもできる。なお、図２は、前記図１におけるＡ−Ａ線断面図である。
【００９８】
前記各蛍光管２０を個別に支持する光源受け部１６としては、金属を材料として、蛍光管２０の管端部を支持可能に、シャーシ１２上に形成された支柱状の構造物が、その一例としてあげられる。
【００９９】
（ハーネスレス）
光源受け部１６の他の構成としては、例えば、図３に示す構成が挙げられる。ここで、図３は、光源受け部１６の他の構成を示す図である。
【０１００】
図３に示すように、蛍光管２０をシャーシ１２に固定する方法としては、電気的な端子受け１９が設けられたゴムホルダ１８をシャーシ１２に固定し、蛍光管２０の管端部分から引き出された端子２２を、前記ゴムホルダ１８に設けられた端子受けにはめ込むことによって、電気的な導通を確保するとともに、蛍光管２０をシャーシ１２に固定する方法がある。なお、前記ゴムホルダ１８に設けられた端子受け１９は、シャーシ１２に設けられた貫通穴（図示せず）を介して、シャーシ１２の裏面に設けられたインバーターなどの部品と電気的に接続することができる。
【０１０１】
前記図１、図２、及び、図３に示すような、各々の蛍光管２０を別個にシャーシ１２に固定する方法においては、シャーシ１２の周辺端部以外の位置に蛍光管２０の管端部が位置するように、蛍光管２０の配置をする場合であっても、光源受け部１６が設けられることによる、表示用照明装置１０の面内における輝度ムラを抑制することができる。
【０１０２】
これは、一般に前記光源受け部１６が設けられた部分からは光が出射されないので、光源受け部１６は黒点として観察され、表示用照明装置１０における輝度ムラの原因となるが、前記各々の蛍光管２０を別個にシャーシ１２に固定する方法における光源受け部１６は、蛍光管２０を固定するために最低限度必要な大きさとすることができるので、前記輝度ムラを抑制することができるというものである。
【０１０３】
また、例えば図３に示した蛍光管２０の固定方法においては、前記図１７（ｂ）で示したようなハーネスを用いることなく、蛍光管２０と他の部品などと簡易に電気的に接続することとができる。
【０１０４】
〔実施の形態２〕
本発明の他の実施の形態について図４に基づいて説明すれば、以下の通りである。図４は、本発明の他の実施の形態を示すものであり、表示用照明装置の概略構成を示す図である。
【０１０５】
なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【０１０６】
本実施の形態の表示用照明装置１０は、前記実施の形態１に記載された表示用照明装置１０と比べて、シャーシ１２の縦辺に平行な方向（図４の矢印Ｙ方向）に設けられる短手直管型蛍光管２０ｂの本数が１本増加して合計３本となった点と、増加した短手直管型蛍光管２０ｂが、シャーシ１２の横辺方向（図４の矢印Ｘ方向）の中心位置に設けられている点と、長手直管型蛍光管２０ａが、前記増加した短手直管型蛍光管２０ｂの左右に、各々４本ずつ、合計８本設けられている点とが相違する。
【０１０７】
本実施の形態の表示用照明装置１０では、シャーシ１２の縦辺に平行な方向（図４の矢印Ｙ方向）に設けられた短手直管型蛍光管２０ｂの本数が増加しているので、より均一な横斜め方向（図４に示す矢印Ｎ、及び、矢印Ｏの方向）の輝度、及び、正面方向の明るい輝度を得ることができる。
【０１０８】
〔実施の形態３〕
本発明の他の実施の形態について図５に基づいて説明すれば、以下の通りである。図５は、本発明の他の実施の形態を示すものであり、表示用照明装置の概略構成を示す図である。
【０１０９】
なお、本実施の形態において説明すること以外の構成は、前記各実施の形態と同じである。また、説明の便宜上、前記の各実施の形態の図面に示した部材と同一の機能を有する部材については、同一の符号を付し、その説明を省略する。
【０１１０】
本実施の形態の表示用照明装置１０は、前記実施の形態２に記載された表示用照明装置１０と比べて、シャーシ１２の縦辺に平行な方向（図４の矢印Ｙ方向）に設けられる短手直管型蛍光管２０ｂのうち、長方形型のシャーシ１２における両短辺近傍に設けられていた２本の短手直管型蛍光管２０ｂが取り除かれている点と、そして、この短手直管型蛍光管２０ｂが取り除かれた前記両短辺近傍領域に対して、長手直管型蛍光管２０ａの管端部分が、シャーシ１２の縦辺に平行な方向（図５の矢印Ｙ方向）に折り曲げられている点とが相違する。
【０１１１】
すなわち、本実施の形態の表示用照明装置１０では、前記実施の形態２における８本の長手直管型蛍光管２０ａが、Ｌ字型に折り曲げられたＬ字型蛍光管２０ｃに置き換えられている。
【０１１２】
本実施の形態の表示用照明装置１０では、少ない蛍光管２０の本数で、横斜め方向（図５に示す矢印Ｎ、及び、矢印Ｏの方向）に対する輝度を得ることができる。
【０１１３】
〔実施の形態４〕
本発明の他の実施の形態について図６に基づいて説明すれば、以下の通りである。図６は、本発明の他の実施の形態を示すものであり、表示用照明装置の概略構成を示す図である。
【０１１４】
なお、本実施の形態において説明すること以外の構成は、前記各実施の形態と同じである。また、説明の便宜上、前記の各実施の形態の図面に示した部材と同一の機能を有する部材については、同一の符号を付し、その説明を省略する。
【０１１５】
本実施の形態の表示用照明装置１０は、前記実施の形態２に記載された表示用照明装置１０と比べて、シャーシ１２の縦辺に平行な方向（図４の矢印Ｙ方向）に設けられる短手直管型蛍光管２０ｂのうち、長方形型のシャーシ１２における短辺近傍に設けられていた短手直管型蛍光管２０ｂとその管端部近傍に設けられていた長手直管型蛍光管２０ａとが連結され、１本のＬ字型蛍光管２０ｃに置き換えられている点が相違する。
【０１１６】
本実施の形態の表示用照明装置１０では、少ない蛍光管２０の本数で、横斜め方向（図６に示す矢印Ｎ、及び、矢印Ｏの方向）に対して、より十分な輝度を得ることができる。
【０１１７】
〔実施の形態５〕
本発明の他の実施の形態について図７に基づいて説明すれば、以下の通りである。図７は、本発明の他の実施の形態を示すものであり、表示用照明装置の概略構成を示す図である。
【０１１８】
なお、本実施の形態において説明すること以外の構成は、前記各実施の形態と同じである。また、説明の便宜上、前記の各実施の形態の図面に示した部材と同一の機能を有する部材については、同一の符号を付し、その説明を省略する。
【０１１９】
本実施の形態の表示用照明装置１０は、用いられている蛍光管２０が、前記実施の形態１などで用いられた直管型の蛍光管ではなく、蛍光管２０がコの字型に成形されたコの字型蛍光管２０ｄである点が特徴点である。すなわち、１の蛍光管が、前記第１の方向（図７のＸ方向）と、前記第２の方向（図７のＹ方向）とを有している。
【０１２０】
そして、前記コの字型蛍光管２０ｄは、そのコの字の両先端部が、シャーシ１２の左右の両縦辺に面するように配置されている。
【０１２１】
詳しくは、２つのコの字型蛍光管２０ｄが、そのコの字の両先端部がシャーシ１２の左側の縦辺に面するように設けられており、加えて、他の２つのコの字型蛍光管２０ｄが、そのコの字がシャーシ１２の右側の縦辺に面するように設けられている。
【０１２２】
すなわち、コの字の開口部が左向きのコの字型蛍光管２０ｄが２つシャーシ１２の縦方向（図７の矢印Ｙ方向）に重ねられ、かつ、コの字の開口部が右向きのコの字型蛍光管２０ｄが２つシャーシ１２の縦方向（図７の矢印Ｙ方向）に重ねられている。
【０１２３】
以上のように、本実施の形態の表示用照明装置１０では、蛍光管２０の管端部、詳しくは、コの字の両先端部が、シャーシ１２の端辺に面するように配置されている。したがって、前記蛍光管２０をシャーシ１２に固定し、かつ、電気的な導通を確保するのに際し、従来からの光源受け部１６、すなわち図１７（ａ）及び図１７（ｂ）に示したようなシャーシ１２の端辺近傍にその全辺わたって形成された光源受け部１６をそのまま用いることができる。
【０１２４】
本実施の形態の表示用照明装置１０では、シャーシ１２の中央に蛍光管２０の管端部が位置することがないので、表示用照明装置１０の面内に黒点などが生じにくく、輝度の均一性が低下することが少ない。
【０１２５】
〔実施の形態６〕
本発明の他の実施の形態について図８に基づいて説明すれば、以下の通りである。図８は、本発明の他の実施の形態を示すものであり、表示用照明装置の概略構成を示す図である。
【０１２６】
なお、本実施の形態において説明すること以外の構成は、前記各実施の形態と同じである。また、説明の便宜上、前記の各実施の形態の図面に示した部材と同一の機能を有する部材については、同一の符号を付し、その説明を省略する。
【０１２７】
本実施の形態の表示用照明装置１０は、用いられている蛍光管２０が、前記実施の形態１などで用いられた直管型の蛍光管のみならず、直管型の蛍光管２０がコの字型に成形されたコの字型蛍光管２０ｄも併用されている点が特徴点である。
【０１２８】
まず、コの字型蛍光管２０ｄについては、２つのコの字型蛍光管２０ｄが、そのコの字の両先端部が、各々、シャーシ１２の左右の両縦辺に面するように配置されている。
【０１２９】
詳しくは、１つのコの字型蛍光管２０ｄは、そのコの字の両先端部がシャーシ１２の左側の縦辺に面するように設けられており、他の１つのコの字型蛍光管２０ｄは、そのコの字がシャーシ１２の右側の縦辺に面するように設けられている。
【０１３０】
そして、コの字の各辺（３辺）と、シャーシ１２の左右各々の縦辺とによって囲まれた領域には、長方形型のシャーシ１２横辺に平行な方向に、長手直管型蛍光管２０ａが各々２本ずつ設けられている。
【０１３１】
前記の構成によれば、コの字型蛍光管２０ｄの両先端部（管端部）及び長手直管型蛍光管２０ａの一方の管端部分が、シャーシ１２の両端辺に位置するので、前記実施の形態５と同様に、従来の光源受け部１６を用いることができる。
【０１３２】
（表示装置の構成）
つぎに、本発明の表示用照明装置１０が、表示パネルの直下型の背面照明手段として用いられた表示装置の構成について、表示パネルとして液晶表示パネルが用いられた場合を例にして、図１８に基づいて説明する。図１８は、表示用照明装置と液晶表示パネルとが備えられた表示装置（液晶表示装置１）の概略構成を示す断面図である。
【０１３３】
図１８に示すように、本発明の表示用照明装置１０が用いられた液晶表示装置１においては、液晶表示パネル５の背面に表示用照明装置１０が配置されている。そして、前記液晶表示パネル５と表示用照明装置１０との間には、適宜光学シートが設けられる。例えば、図１８に示すように、前記光学シートとして、表示用照明装置１０の側から、拡散板５１、拡散シート５２、レンズシート５３、及び、拡散シート５４を設ける構成が考えられる。
【０１３４】
図１８に示す液晶表示装置１では、用いられた表示用照明装置１０が、斜め方向における輝度不足が低減された表示用照明装置１０なので、液晶表示装置１においても、斜め方向において輝度不足が低減され、良好な特性が実現される。
【０１３５】
なお、本発明の表示用照明装置１０が用いられる表示パネルは、前記液晶表示パネル５に限定されるものではなく、自発光性を有しない他の表示パネルにも好適に用いられる。
【０１３６】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【０１３７】
例えば、前記に説明においては、蛍光管の第１の方向と第２の方向とのなす角については、９０°を例にして説明したが、前記なす角は、この範囲に限定されない。すなわち、本発明における前記なす角は、好ましくは７５°以上１０５°以下、より好ましくは８０°以上１００°以下であれば良い。
【産業上の利用可能性】
【０１３８】
本発明の表示用照明装置は、斜め方向における輝度不足が低減されているので、大型ワイドテレビなど、斜め方向から画面を見る場合が多い表示装置に利用可能である。
【図面の簡単な説明】
【０１３９】
【図１】本発明の実施の形態を示すものであり、表示用照明装置の概略構成を示す図である。
【図２】図１におけるＡ−Ａ線断面図である。
【図３】本発明の実施の形態を示すものであり、光源受け部の概略構成を示す図である。
【図４】本発明の他の実施の形態を示すものであり、表示用照明装置の概略構成を示す図である。
【図５】本発明の他の実施の形態を示すものであり、表示用照明装置の概略構成を示す図である。
【図６】本発明の他の実施の形態を示すものであり、表示用照明装置の概略構成を示す図である。
【図７】本発明の他の実施の形態を示すものであり、表示用照明装置の概略構成を示す図である。
【図８】本発明の他の実施の形態を示すものであり、表示用照明装置の概略構成を示す図である。
【図９】従来技術を示すものであり、特許文献１に記載の照明装置の概略構成を示す図である。
【図１０】従来技術を示すものであり、特許文献２に記載のバックライトモジュールの概略構成を示す図である。
【図１１】従来技術を示すものであり、表示用照明装置の概略構成を示す図である。
【図１２】従来技術を示すものであり、蛍光管を管端から直管の延伸方向に向かって見た場合の、蛍光管から出射される光の強度を示す図である。
【図１３】従来技術を示すものであり、蛍光管を側面から見た場合の、蛍光管から出射される光の強度を示す図である。
【図１４】図１１のＢ−Ｂ線断面図である。
【図１５】従来技術を示すものであり、（ａ）は液晶表示装置を正面方向から見たときの画面の明るさを示す図であり、（ｂ）は液晶表示装置を左横斜め方向から見たときの画面の明るさを示す図であり、（ｃ）は液晶表示装置を右横斜め方向から見たときの画面の明るさを示す図である。
【図１６】（ａ）は仰角を変えた場合の輝度の変化を示す図であり、（ｂ）は輝度の測定方法を示す図である。
【図１７】従来技術を示すものであり、（ａ）は表示用照明装置の概略構成を示す図であり、（ｂ）は光源受け部を示す図である。
【図１８】表示用照明装置と表示パネルとが備えられた表示装置の概略構成を示す断面図である。
【符号の説明】
【０１４０】
１    液晶表示装置
５    液晶表示パネル（表示パネル）
７    画面
１０    表示用照明装置
１２    シャーシ
１６    光源受け部
１８    ゴムホルダ
１９    端子受け
２０    蛍光管（光源）
２０ａ  長手直管型蛍光管
２０ｂ  短手直管型蛍光管
２０ｃ  Ｌ字型蛍光管
２０ｄ  コの字型蛍光管
２２    端子
３０    ハーネス
４０    インバーター
５１    拡散板
５２    拡散シート
５３    レンズシート
５４    拡散シート
１０１    棒状光源
１０３    ケース
１１０    照明装置
２０１    バックライトモジュール
２１５    蛍光管
Ｘ      方向（第１の方向）
Ｙ      方向（第２の方向）
【図１】
2008234944.tif 000003
【図２】
2008234944.tif 000004
【図３】
2008234944.tif 000005
【図４】
2008234944.tif 000006
【図５】
2008234944.tif 000007
【図６】
2008234944.tif 000008
【図７】
2008234944.tif 000009
【図８】
2008234944.tif 000010
【図９】
2008234944.tif 000011
【図１０】
2008234944.tif 000012
【図１１】
2008234944.tif 000013
【図１２】
2008234944.tif 000014
【図１３】
2008234944.tif 000015
【図１４】
2008234944.tif 000016
【図１５】
2008234944.tif 000017
【図１６】
2008234944.tif 000018
【図１７】
2008234944.tif 000019
【図１８】
2008234944.tif 000020